(57)【要約】  【課題】  インストルメントパネルの裏側に奥行きを広げることなく収納容量を拡大できるようにして、利便性に優れた車両用グローブボックスを提供する。  【解決手段】  ボックス本体の開口に下方側に開放可能な下蓋部材１１と、上方側に開放可能な上蓋部材１０を設ける。下蓋部材１１の前端部内側に中蓋部材１５を回動可能に取り付け、上蓋部材１０と下蓋部材１１を最大に開いた状態において中蓋部材１５を引き起こし、中蓋部材１５で上下の蓋部材１０，１１の間の開口２０を閉塞する。  【選択図】        図５
2007090929.tif 000002
【特許請求の範囲】
【請求項１】
開閉可能な蓋部材を有する車両用グローブボックスにおいて、
下方側に開放可能な下蓋部材と、上方側に開放可能な上蓋部材の少なくともいずれか一方を設け、この下蓋部材と上蓋部材のいずれか一方に回動自在に中蓋部材を取り付けると共に、この中蓋部材を、前記上蓋部材と下蓋部材の少なくとも一方の開放時に形成される開口に対して閉塞可能にしたことを特徴とする車両用グローブボックス。
【請求項２】
前記下蓋部材の内側面を平面状に形成すると共に、前記下蓋部材の開放位置において、前記内側面が室内フロアに対して略平行になるように設定したことを特徴とする請求項１に記載の車両用グローブボックス。
【請求項３】
前記中蓋部材を網状体によって形成したことを特徴とする請求項１または２に記載の車両用グローブボックス。
【発明の詳細な説明】
【技術分野】
【０００１】
この発明は、車室内のインストルメントパネルに設けられる車両用グローブボックスに関するものである。
【背景技術】
【０００２】
インストルメントパネルの助手席前面に設けられるグローブボックスは、インストルメントパネルの開口内に形成される凹状のボックス本体が蓋部材によって開閉されるようになっている。蓋部材は、開口の下端側にヒンジ部が設けられ、このヒンジ部を中心として下側に設定角度の範囲で開閉し得るようになっている（例えば、特許文献１参照）。
【特許文献１】特開２００４−３３０９２０号公報
【発明の開示】
【発明が解決しようとする課題】
【０００３】
しかし、この従来のグローブボックスの場合、蓋部材をインストルメントパネルの前面にフラットになるように閉じたときの内部容積がそのまま収容物の収納容量となるため、インストルメントパネル内に確保できるボックス本体の容積によって収納容量がほぼ決まってしまう。このため、インストルメントパネルの裏側に充分な奥行きを持たせることができないときには収納容量の拡大が難しい。
【０００４】
そこでこの発明は、インストルメントパネルの裏側に奥行きを広げることなく収納容量を拡大できるようにして、利便性に優れた車両用グローブボックスを提供しようとするものである。
【課題を解決するための手段】
【０００５】
上記目的を達成するために、請求項１に記載の発明は、開閉可能な蓋部材を有する車両用グローブボックス（例えば、後述の実施形態におけるグローブボックス５）において、下方側に開放可能な下蓋部材（例えば、後述の実施形態における下蓋部材１１）と、上方側に開放可能な上蓋部材（例えば、後述の実施形態における上蓋部材１０）の少なくともいずれか一方を設け、この下蓋部材と上蓋部材のいずれか一方に回動自在に中蓋部材（例えば、後述の実施形態における中蓋部材１５）を取り付けると共に、この中蓋部材を、前記上蓋部材と下蓋部材の少なくとも一方の開放時に形成される開口（例えば、後述の実施形態における開口２０）に対して閉塞可能にした。
この発明の場合、上蓋部材や下蓋部材を開放して開口を形成し、その状態で中蓋部材を回動させて開口を閉塞すると、上蓋部材と下蓋部材の少なくともいずれか一方が前方に突き出した状態で収納空間が形成される。
【０００６】
また、請求項２に記載の発明は、請求項１に記載の発明において、前記下蓋部材の内側面を平面状に形成すると共に、前記下蓋部材の開放位置において、前記内側面が室内フロアに対して略平行になるように設定するようにした。
【０００７】
また、請求項３に記載の発明は、請求項１または２に記載の発明において、前記中蓋部材を網状体によって形成するようにした。
【発明の効果】
【０００８】
請求項１に記載の発明によれば、上蓋部材や下蓋部材を開放して開口を形成し、その開口を中蓋部材によって閉じることによってインストルメントパネルの車室内側に収納空間を拡大できるため、インストルメントパネルの裏側に奥行きを広げることなく収納容量を拡大することができる。
また、この発明によれば、上蓋部材や下蓋部材を完全に閉じた場合と、上蓋部材や下蓋部材を開いてさらに中蓋部材によって開口を閉じた場合で、サイズや内部形状の異なる複数形態の収納空間を得ることができるため、ユーザーの使用目的等に応じて収納空間を自由に使い分けることができる。
したがって、これらのことからグローブボックスの利便性を大幅に高めることができる。
【０００９】
請求項２に記載の発明によれば、下蓋部材を開放した状態において、その内側面によって室内フロアと略平行な面を形成できるため、開放した下蓋部材の内側面上に物品等を安定的に載せることができる。
【００１０】
請求項３に記載の発明によれば、中蓋部材を網状体によって形成したため、上蓋部材や下蓋部材を開いて開口を中蓋部材で閉じた状態において、内部に収納した物品等を中蓋部材を通して目視確認することができる。
【発明を実施するための最良の形態】
【００１１】
以下、この発明の一実施形態を、図面を参照して説明する。なお、以下の説明において、「前」側とは、特別のことわりのない限り、車両の前進方向を言うものとする。
図１〜図５において、１は、車室前面に配置されるインストルメントパネルであり、このインストルメントパネル１のステアリング２の突設される運転席側には各種のメータパネル３やシフトレバー４等が配置され、助手席側にはこの発明に係るグローブボックス５が設けられている。また、インストルメントパネル１の中央部には、エアコンやオーディオ、カーナビゲーション・システム等の操作を行うための操作部６，７が設けられている。
【００１２】
グローブボックス５は、インストルメントパネル１に形成された開口８内に凹状のボックス本体９が形成されると共に、開口８の車室内側が、上蓋部材１０と下蓋部材１１によって閉塞されるようになっている。上蓋部材１０は車幅方向に沿うヒンジ軸（図示せず）を中心に上方側に開放可能となっており、下蓋部材１１は、同様に車幅方向に沿うヒンジ軸（図示せず）を中心に下方側に開放可能となっている。下蓋部材１１は下方側に最大に開放された状態において、その前端部が閉じ状態における外面形状よりも前方側に大きく突出するように設定されている。なお、この実施形態の場合、上蓋部材１０と下蓋部材１１のヒンジ軸が配置されるボックス本体９の一方の側部は別体の側壁部材１２によって構成されている。また、上蓋部材１０と下蓋部材１１は、閉状態において上下に湾曲した外面形状を成すように湾曲した断面形状に形成されている。
この実施形態の場合、上蓋部材１０と下蓋部材１１は図示しない連動機構によって連動し、下蓋部材１１を手前に引き下げることによって両蓋部材１０，１１を同時に開閉できるようになっている。
【００１３】
また、下蓋部材１１の内側には幅方向両側に側壁１３が設けられるとともに、この両側の側壁１３に跨るように平板面１４が設けられている。この平板面１４は、下蓋部材１１が下方に最大に開かれたときに室内フロアＦと略平行になるように設定されている。したがって、下蓋部材１１を開いた状態においては平板面１４上に安定して物品を置くことができる。
【００１４】
下蓋部材１１の内側前端部には、図２〜図４に示すように中蓋部材１５が回動自在に設けられている。この中蓋部材１５は上方に湾曲した樹脂板によって形成され、その樹脂板の内側領域はメッシュ構造となっている。即ち、この実施形態においては中蓋部材１５は樹脂製の網状体によって構成されている。また、中蓋部材１５と下蓋部材１１は、別体のヒンジ部品を介して、若しくはインテグラルヒンジ構造によって相互に連結されている。この中蓋部材１５は、上蓋部材１０と下蓋部材１１を最大に開いた状態において、前端部が手前側に引き起こされ、その前端部が上蓋部材１０の前縁部にフック等の係止手段によって固定されるようになっている。中蓋部材１５は、こうして前端部が上蓋部材１０に固定されることにより、上蓋部材１０と下蓋部材１１の間にできた開口２０を閉塞する。
【００１５】
また、図５に示すように中蓋部材１５の側部には、中蓋部材１５と同様の材料から成るメッシュ構造の側方蓋部材１６が折畳み・展開可能に設けられている。この側方蓋部材１６は、上蓋部材１０と下蓋部材１１を最大に開いて中蓋部材１５の前端部を上蓋部材１１に固定したときに、中蓋部材１５と側壁部材１２の間にできる隙間を閉塞し得るようになっている。なお、この側方蓋部材１６は、側壁部材１２や下蓋部材１１の側壁１３に対して適宜係止手段によって係止できるようにしても良い。
【００１６】
以下、グローブボックス５の具体的な使用方法について説明する。
グローブボックス５内に書類や小物を収納する場合には、図１に示す閉じ状態から、図２，図３に示すように上蓋部材１０と下蓋部材１１を開き、折り畳まれている中蓋部材１５の上に書類や小物を置いて上蓋部材１０と下蓋部材１１を再度図１に示すように閉じる。これにより、書類や小物は蓋部材１０，１１とボックス本体９によって囲まれた比較的小スペースの収納空間内に配置される。
【００１７】
また、グローブボック５内にさらに大型の物品等を収容する場合には、図１に示す閉じ状態から、図２，図３に示すように上蓋部材１０と下蓋部材１１を夫々上下開き、両蓋部材１０，１１を最大に開いた状態において図４，図５に示すように中蓋部材１５を引き起こし、下蓋部材１１の内側の平板面１４上に物品等を載せた後に、中蓋部材１５の前端部を上蓋部材１０に固定し、必要に応じて側方蓋部材１６を側壁部材１２等に固定する。これにより、上蓋部材１０と下蓋部材１１が開くことによって拡大された容量の大きな収納空間がボックス本体９に連続するように形成されることとなり、大型の物品等をこの収納空間に余裕を持って収容することが可能になる。
こうして収納空間が拡大された状態では、下蓋部材１１の内側の平板面１４が室内フロアＦと略平行になるため、物品等は収納空間内に偏ったりバランスを崩したりすることなく安定して載置される。
【００１８】
また、このグローブボックス５の場合、中蓋部材１５と側方蓋部材１６がメッシュ構造となっているため、中蓋部材１５を閉じた状態においても外部から内側の物品等を目視確認することができる。そして、このように網状の中蓋部材１５と側方蓋部材１６を採用するときには、前方に展開したグローブボックス５が内側底面の略水平な檻状の構造となるため、場合によっては、小型の檻や籠の変わりに収納空間に小動物を入れることも可能である。
【００１９】
なお、この発明は上記実施形態に限定されるものではなく、その要旨を逸脱しない範囲で種々の設計変更が可能である。例えば、上記の実施形態では中蓋部材１５をメッシュ構造としたが、中蓋部材１５は必ずしもメッシュ構造にしなくても良い。また、上記の実施形態では、上蓋部材１０と下蓋部材１１が夫々開閉可能に設けられているが、上蓋部材１０と下蓋部材１１のいずれか一方に中蓋部材１５を回動自在に設けるようにすれば、他方の蓋部材は必ずしも設けなくても良い。
【図面の簡単な説明】
【００２０】
【図１】この発明の一実施形態のグローブボックスを示すものであり、上蓋部材と下蓋部材を完全に閉じた状態における斜視図。
【図２】同実施形態のグローブボックスを示すものであり、下蓋部材を一部開いた状態における斜視図。
【図３】同実施形態のグローブボックスを示すものであり、上蓋部材と下蓋部材を完全に閉じた状態における斜視図。
【図４】同実施形態のグローブボックスを示すものであり、中蓋部材を閉じ始めた状態における斜視図。
【図５】同実施形態のグローブボックスを示すものであり、中蓋部材と側方蓋部材を閉じた状態における斜視図。
【符号の説明】
【００２１】
５…グローブボックス
９…ボックス本体
１０…上蓋部材
１１…下蓋部材
１４…平板面（内側面）
１５…中蓋部材
【図１】
2007090929.tif 000003
【図２】
2007090929.tif 000004
【図３】
2007090929.tif 000005
【図４】
2007090929.tif 000006
【図５】
2007090929.tif 000007